(57)【要約】【課題】ハウジングの形状とその中に充填される中空糸膜の本数を変えることなく、膜面積の変更を効率良く行うことができるフィルタモジュールを提供する。【解決手段】筒状のハウジング１０と、ハウジング１０の内部に充填された中空糸膜束と、ハウジング１０の一端側に設けられた被処理液入口２０と、ハウジング１０の他端側に設けられた被処理液出口３０と、を備え、ハウジング１０の両端において、中空糸膜束を構成する各中空糸膜の両端が開口されることにより開口領域が形成されているフィルタモジュールであって、被処理液入口２０側及び被処理液出口３０側の少なくとも一方において、開口領域の少なくとも一部を閉塞する閉塞手段７０を備える。【選択図】図２
2017074563.tif 000002
【特許請求の範囲】
【請求項１】
筒状のハウジングと、前記ハウジングの内部に充填された中空糸膜束と、前記ハウジングの一端側に設けられた被処理液入口と、前記ハウジングの他端側に設けられた被処理液出口と、を備え、前記ハウジングの両端において、前記中空糸膜束を構成する各中空糸膜の両端が開口されることにより開口領域が形成されているフィルタモジュールであって、
前記被処理液入口側及び前記被処理液出口側の少なくとも一方において、前記開口領域の少なくとも一部を閉塞する閉塞手段を備える、フィルタモジュール。
【請求項２】
前記閉塞手段は、前記開口領域の少なくとも一部と、前記ハウジングの両端に取り付けられるヘッダと、の間に配置される交換可能な閉塞部材である、請求項１に記載のフィルタモジュール。
【請求項３】
前記閉塞手段は、前記開口領域の少なくとも一部に充填されて固化される閉塞用樹脂材であり、
前記閉塞用樹脂材は、前記ハウジングに前記中空糸膜束を固定するための接着用樹脂材に結合する、請求項１に記載のフィルタモジュール。
【請求項４】
前記閉塞用樹脂材及び前記接着用樹脂材は、同一の樹脂材である、請求項３に記載ののフィルタモジュール。
【請求項５】
前記閉塞用樹脂材及び前記接着用樹脂材は、ウレタン系樹脂材である、請求項４に記載のフィルタモジュール。
【請求項６】
前記閉塞手段は、前記ハウジングの両端に取り付けられるヘッダの一部分である、請求項１に記載のフィルタモジュール。
【請求項７】
前記閉塞手段は、前記ハウジングに対する前記被処理液の流入流出方向が前記ハウジングの延在方向に対して略平行である場合において、前記開口領域の周辺部分を閉塞する、請求項１から６の何れか一項に記載のフィルタモジュール。
【請求項８】
前記閉塞手段の平面形状は、略円環形状である、請求項７に記載のフィルタモジュール。
【請求項９】
前記閉塞手段は、前記ハウジングに対する前記被処理液の流入流出方向が前記ハウジングの延在方向に対して略直角である場合において、前記開口領域の中央部分を閉塞する、請求項１から６の何れか一項に記載のフィルタモジュール。
【請求項１０】
前記閉塞手段の平面形状は、略円形状である、請求項９に記載のフィルタモジュール。
【請求項１１】
前記閉塞手段の平面形状は、略楕円形状である、請求項９に記載のフィルタモジュール。
【請求項１２】
前記閉塞手段の平面形状は、点対称形状である、請求項１から１１の何れか一項に記載のフィルタモジュール。
【請求項１３】
血液処理用モジュールである、請求項１から１２の何れか一項に記載にフィルタモジュール。
【発明の詳細な説明】
【技術分野】
【０００１】
本発明は、フィルタモジュールに関する。
【背景技術】
【０００２】
現在、血液透析療法や血漿交換療法等における血液浄化処理、血液製剤のウィルス除去処理、海水の淡水化処理、等の各種液体の処理を行う分野においては、被処理液の出入口を備えたフィルタモジュールが使用されている。従来のフィルタモジュールとしては、数百本〜数万本の中空糸膜からなる束（中空糸膜束）をフィルタとして本体ハウジング内に充填した構造を有するものが提案されている（例えば、特許文献１及び特許文献２参照）。
【先行技術文献】
【特許文献】
【０００３】
【特許文献１】特開２００６−５５８１７号公報
【特許文献２】特開２００４−１７４３３６号公報
【発明の概要】
【発明が解決しようとする課題】
【０００４】
ところで、特許文献１や特許文献２に記載されたような従来のフィルタモジュールにおいては、用途に応じて数種類の膜面積のフィルタを用意するのが一般的である。例えば血液処理用のフィルタモジュールにおいては、患者の容態や体重等によって使い分けるために、０．３ｍ2、０．７ｍ2、１．０ｍ2、１．３ｍ2、１．６ｍ2、２．１ｍ2等の膜面積を有するフィルタが市販されている。
【０００５】
しかしながら、複数の膜面積を有するフィルタモジュールを生産するためには、モジュールに充填する中空糸膜の本数を調節する必要があった。また、フィルタモジュール内での最適な流体の流れを形成するために、ハウジングの形状をそれぞれの膜面積にあわせて最適化する必要があり、これに伴い、各種ハウジングを成形するための複数の金型が必要となっていた。このため、多大なコストがかかるという問題があった。
【０００６】
また、複数の膜面積を有するフィルタモジュールを生産する工程においては、膜面積毎にフィルタモジュールの生産ラインを準備する必要があった。異なる膜面積のフィルタモジュールについて同一の生産ラインを用いる場合においても、生産するフィルタモジュールの膜面積を変更する際に生産ラインを再調整する必要があり、生産効率が悪くなるという問題があった。
【０００７】
本発明は、かかる事情に鑑みてなされたものであり、ハウジングの形状とその中に充填される中空糸膜の本数を変えることなく、膜面積の変更を効率良く行うことができるフィルタモジュールを提供することを目的とする。
【課題を解決するための手段】
【０００８】
前記目的を達成するため、本発明に係るフィルタモジュールは、筒状のハウジングと、ハウジングの内部に充填された中空糸膜束と、ハウジングの一端側に設けられた被処理液入口と、ハウジングの他端側に設けられた被処理液出口と、を備え、ハウジングの両端において、中空糸膜束を構成する各中空糸膜の両端が開口されることにより開口領域が形成されているフィルタモジュールであって、被処理液入口側及び被処理液出口側の少なくとも一方において、開口領域の少なくとも一部を閉塞する閉塞手段を備えるものである。
【０００９】
かかる構成を採用すると、中空糸膜束を構成する各中空糸膜の両端が開口されることにより形成された開口領域の少なくとも一部を、被処理液入口側及び被処理液出口側の少なくとも一方において閉塞手段で閉塞することができるので、一部の中空糸膜に被処理液を通過させないようにして中空糸膜束の有効膜面積を減少させることができる。このように閉塞手段を用いて開口領域の閉塞態様を変更することによりフィルタの有効膜面積を調整することができ、一つのハウジングで複数の有効膜面積を得ることができる。この結果、フィルタの有効膜面積変更のために従来必要であった生産ラインの調整等が不要となることから、フィルタモジュールの生産効率を格段に向上させることができ、かつ、生産コストを格段に低減させることができる。また、生産本数の少ない小膜面積（例えば０．３ｍ2、０．７ｍ2）のフィルタモジュールについても、本方式を採用することにより安定した数量で生産することができるため、生産コスト低減に有効である。
【００１０】
本発明に係るフィルタモジュールにおいて、開口領域の少なくとも一部と、ハウジングの両端に取り付けられるヘッダと、の間に配置される交換可能な閉塞部材を閉塞手段として採用することができる。
【００１１】
このように、閉塞手段として、開口領域とヘッダとの間に配置される交換可能な閉塞部材を採用するため、開口領域の閉塞態様を容易に変更することができる。
【００１２】
本発明に係るフィルタモジュールにおいて、開口領域の少なくとも一部に充填されて固化される閉塞用樹脂材を閉塞手段として採用することができる。この際、ハウジングに中空糸膜束を固定するための接着用樹脂材に結合する閉塞用樹脂材を採用することができる。
【００１３】
このように、閉塞手段として、開口領域の少なくとも一部に充填されて固化される閉塞用樹脂材を採用し、ハウジングに中空糸膜束を固定するための接着用樹脂材に閉塞用樹脂材を結合させることができるため、開口領域の少なくとも一部を確実に閉塞することができる。
【００１４】
本発明に係るフィルタモジュールにおいて、閉塞用樹脂材及び接着用樹脂材を同一の樹脂材（例えばウレタン系樹脂材）とすることができる。
【００１５】
このように、閉塞用樹脂材及び接着用樹脂材として同一の樹脂材（例えばウレタン系樹脂材）を採用すると、両樹脂材を一体的に結合させることができる。
【００１６】
本発明に係るフィルタモジュールにおいて、ハウジングの両端に取り付けられるヘッダの一部分を閉塞手段として採用することもできる。
【００１７】
このように、ハウジングの両端に取り付けられるヘッダの一部分を閉塞手段として利用するため、閉塞部材を別途調整する必要がなく、部品点数を削減することができる。
【００１８】
本発明に係るフィルタモジュールにおいて、ハウジングに対する被処理液の流入流出方向がハウジングの延在方向に対して略平行である場合において、開口領域の周辺部分を閉塞する閉塞手段を採用することができる。閉塞手段の平面形状としては、略円環形状を採用することができる。
【００１９】
ハウジングに対する被処理液の流入流出方向がハウジングの延在方向に対して略平行である場合には、ハウジングの両端に取り付けられるヘッダの内部空間の周辺部分における被処理液の流れが悪くなる傾向があるが、開口領域の周辺部分を閉塞手段で閉塞することにより、（被処理液の流れの良い）開口領域の中央部分に被処理液を集中させることができる。この結果、ヘッダの内部空間における被処理液の滞留を防ぐことができ、被処理液の凝固を抑制することができる。
【００２０】
本発明に係るフィルタモジュールにおいて、ハウジングに対する被処理液の流入流出方向がハウジングの延在方向に対して略直角である場合において、開口領域の中央部分を閉塞する閉塞手段を採用することができる。閉塞手段の平面形状としては、略円形状や略楕円形状を採用することができる。
【００２１】
ハウジングに対する被処理液の流入流出方向がハウジングの延在方向に対して略直角である場合には、ハウジングの両端に取り付けられるヘッダの内部空間の中央部分における被処理液の流れが悪くなる傾向があるが、開口領域の中央部分を閉塞手段で閉塞することにより、（被処理液の流れの良い）開口領域の周辺部分に被処理液を集中させることができる。この結果、ヘッダの内部空間における被処理液の滞留を防ぐことができ、被処理液の凝固を抑制することができる。
【００２２】
本発明に係るフィルタモジュールにおいて、閉塞手段の平面形状を点対称形状とすることができる。
【００２３】
このように閉塞手段の平面形状を点対称形状とすると、ハウジングに閉塞手段を取り付ける際に閉塞手段の取付方向を考慮する手間を省くことができるため、取付作業を簡略化することができる。
【発明の効果】
【００２４】
本発明によれば、ハウジングの形状とその中に充填される中空糸膜の本数を変えることなく、膜面積の変更を効率良く行うことができるフィルタモジュールを提供することが可能となる。
【図面の簡単な説明】
【００２５】
【図１】本発明の第一実施形態に係るフィルタモジュールの外観構成図である。
【図２】本発明の第一実施形態に係るフィルタモジュールを分解した状態を示す説明図である。
【図３】本発明の第二実施形態に係るフィルタモジュールの外観構成図である。
【図４】本発明の第二実施形態に係るフィルタモジュールを分解した状態を示す説明図である。
【発明を実施するための形態】
【００２６】
以下、図面を参照して、本発明の各実施形態について説明する。なお、以下の各実施形態はあくまでも好適な適用例であって、本発明の適用範囲がこれに限定されるものではない。
【００２７】
＜第一実施形態＞
まず、図１及び図２を用いて、本発明の第一実施形態に係るフィルタモジュール１について説明する。
【００２８】
本実施形態に係るフィルタモジュール１は、患者等の体内から取り出された血液（被処理液）に浄化処理を施して体内に戻すための血液処理用モジュールであり、図１に示すように、ハウジング１０と、ハウジング１０の内部に充填された（図示されていない）中空糸膜束と、ハウジング１０の一端１１側に設けられた血液入口２０と、ハウジング１０の他端１２側に設けられた血液出口３０と、を備えている。また、フィルタモジュール１は、透析液等の補液をフィルタモジュール１に供給する（図示されていない）補液供給流路が接続される補液入口４０と、中空糸膜束によって濾過された血液中の老廃物を含む廃液を排出する（図示されていない）廃液排出流路が接続される廃液出口５０と、を備えている。
【００２９】
ハウジング１０は、中空糸膜束が充填される円筒状の構造体であり、その両端にはヘッダ６１、６２が取り付けられている。ハウジング１０の一端１１側に取り付けられるヘッダ６１には血液入口２０が設けられており、ハウジング１０の他端１２側に取り付けられるヘッダ６２には血液出口３０が設けられている。血液入口２０には、患者等の体内から取り出された血液をフィルタモジュール１に送る（図示されていない）採血流路が接続され、血液出口３０には、フィルタモジュール１を通過した血液を患者に戻す（図示されていない）返血流路が接続される。
【００３０】
本実施形態に係るフィルタモジュール１においては、図１に示すように、ハウジング１０に対する血液の流入流出方向がハウジング１０の延在方向（軸方向）に対して略平行となるように、血液入口２０と血液出口３０とがヘッダ６１、６２のハウジング１０と反対側の面の中央部（ハウジング１０の中心軸上）に配置されている。
【００３１】
ハウジング１０の両端１１、１２では、中空糸膜束を構成する各中空糸膜の両端が開口されることにより開口領域が形成されている。本実施形態におけるフィルタモジュール１は、図２に示すように、血液入口２０側及び血液出口３０側の双方における開口領域の周辺部分を閉塞する閉塞手段７０を備えている。本実施形態における閉塞手段７０は、開口領域とヘッダ６１、６２との間に配置される交換可能なリング状の閉塞部材である。閉塞手段７０によって閉塞される部分（以下、「閉塞部分」という）の平面形状は円環形状とされており、閉塞手段７０によって閉塞されない部分（以下、「非閉塞部分」という）の平面形状は円形状とされている。なお、閉塞部分及び非閉塞部分の形状はこれに限られるものではなく、例えば非閉塞部分の平面形状を楕円形状とすることもできる。
【００３２】
ハウジング１０に対する血液の流入流出方向がハウジング１０の延在方向に対して略平行である場合には、ヘッダ６１、６２の内部空間の周辺部分における血液の流れが悪くなる傾向があるが、開口領域の周辺部分を閉塞手段７０で閉塞することにより、（血液の流れの良い）開口領域の中央部分に血液を集中させることができる。この結果、ヘッダ６１、６２の内部空間における血液の滞留を防ぐことができ、血液の凝固を抑制することができる。
【００３３】
閉塞手段７０を構成する材料は、中空糸膜束への血液の流入を阻止することができるものであればよく、例えば金属材料や合成樹脂材料を採用することができる。開口領域の全面積に対する閉塞部分の面積は、中空糸膜束の仕様（本数、長さ、材料等）、ハウジング１０の長さ、流入する血液の流量等を勘案して適宜設定することができる。例えば、中空糸膜束としてポリスルホン（旭化成メディカル社製、有効長さ約２７０mm、約５０００〜１７０００本）を採用し、ハウジング１０の長さが約２１０〜３００mmであり、流入する血液の流量が２００〜３５０ml/minである場合には、開口領域の全面積に対する閉塞部分の面積を３０％程度に設定すると血液の凝固を効果的に抑制することができる。また、閉塞手段７０の厚さ（ハウジング１０の軸方向における閉塞手段７０の寸法）は、中空糸膜束の長さやハウジング１０の長さを勘案して適宜設定することができる。
【００３４】
以上説明した実施形態に係るフィルタモジュール１においては、中空糸膜束を構成する各中空糸膜の両端が開口されることにより形成された開口領域の周辺部分を、血液入口２０側及び血液出口３０側の双方において閉塞手段７０で閉塞することができるので、一部の中空糸膜に血液を通過させないようにして中空糸膜束の有効膜面積を減少させることができる。このように閉塞手段７０を用いて開口領域の閉塞態様を変更することによりフィルタの有効膜面積を調整することができ、一つのハウジング１０で複数の有効膜面積を得ることができる。この結果、フィルタの有効膜面積変更のために従来必要であった生産ラインの調整等が不要となることから、生産効率を格段に向上させることができ、かつ、生産コストを格段に低減させることができる。また、生産本数の少ない小膜面積（例えば０．３ｍ2、０．７ｍ2）のフィルタモジュールについても、本方式を採用することにより安定した数量で生産することができるため、生産コスト低減に有効である。
【００３５】
また、以上説明した実施形態に係るフィルタモジュール１においては、閉塞手段７０として、開口領域とヘッダ６１、６２との間に配置される交換可能な閉塞部材を採用しているため、開口領域の閉塞態様を容易に変更することができる。
【００３６】
また、以上説明した実施形態に係るフィルタモジュール１においては、開口領域の周辺部分を閉塞手段７０で閉塞することにより、（血液の流れの良い）開口領域の中央部分に血液を集中させることができる。この結果、ヘッダ６１、６２の内部空間における血液の滞留を防ぐことができ、血液の凝固を抑制することができる。
【００３７】
＜第二実施形態＞
次に、図３及び図４を用いて、本発明の第二実施形態に係るフィルタモジュール１Ａについて説明する。本実施形態に係るフィルタモジュール１Ａは、第一実施形態に係るフィルタモジュール１の血液出入口の位置と、閉塞手段の構成と、を変更したものであり、その他の構成については第一実施形態と実質的に同一である。このため、第一実施形態と共通する構成については、第一実施形態と同一の符号を付して詳細な説明を省略することとする。
【００３８】
本実施形態に係るフィルタモジュール１Ａは、図３に示すように、ハウジング１０と、ハウジング１０の内部に充填された（図示されていない）中空糸膜束と、ハウジング１０の一端１１側に設けられた血液入口２０Ａと、ハウジング１０の他端１２側に設けられた血液出口３０Ａと、補液供給流路が接続される補液入口４０と、廃液排出流路が接続される廃液出口５０と、を備えている。
【００３９】
ハウジング１０の両端にはヘッダ６１、６２が取り付けられている。ハウジング１０の一端１１側に取り付けられるヘッダ６１には血液入口２０Ａが設けられており、ハウジング１０の他端１２側に取り付けられるヘッダ６２には血液出口３０Ａが設けられている。血液入口２０Ａには採血流路が接続され、血液出口３０Ａには返血流路が接続される。
【００４０】
本実施形態に係るフィルタモジュール１Ａにおいては、図３に示すように、ハウジング１０に対する血液の流入流出方向がハウジング１０の延在方向（軸方向）に対して略直角となるように、血液入口２０Ａと血液出口３０Ａとがヘッダ６１、６２の側面に配置されている。
【００４１】
ハウジング１０の両端１１、１２では、中空糸膜束を構成する各中空糸膜の両端が開口されることにより開口領域が形成されている。本実施形態におけるフィルタモジュール１Ａは、図４に示すように、血液入口２０Ａ側及び血液出口３０Ａ側の双方における開口領域の中央部分を閉塞する閉塞手段７０Ａを備えている。本実施形態における閉塞手段７０Ａは、開口領域の中央部分に充填されて固化される閉塞用樹脂材である。閉塞手段７０Ａによって閉塞される部分（閉塞部分）の平面形状は円形状とされており、閉塞手段７０Ａによって閉塞されない部分（非閉塞部分）の平面形状は円環形状とされている。なお、閉塞部分及び非閉塞部分の形状はこれに限られるものではない。例えば、閉塞部分の平面形状を楕円形状とすることもできる。
【００４２】
ハウジング１０に対する血液の流入流出方向がハウジング１０の延在方向に対して略直角である場合には、ヘッダ６１、６２の内部空間の中央部分における血液の流れが悪くなる傾向があるが、開口領域の中央部分を閉塞手段７０Ａで閉塞することにより、（血液の流れの良い）開口領域の周辺部分に血液を集中させることができる。この結果、ヘッダ６１、６２の内部空間における血液の滞留を防ぐことができ、血液の凝固を抑制することができる。
【００４３】
閉塞手段７０Ａを構成する樹脂材は、ハウジング１０に中空糸膜束を固定するための接着用樹脂材と同一の樹脂材（例えばウレタン樹脂材）とされており、接着用樹脂材に一体的に結合するようになっている。開口領域の全面積に対する閉塞部分の面積は、中空糸膜束の仕様（本数、長さ、材料等）、ハウジング１０の長さ、流入する血液の流量等を勘案して適宜設定することができる。例えば、中空糸膜束としてポリスルホン（旭化成メディカル社製、有効長さ約２７０mm、約５０００〜１７０００本）を採用し、ハウジング１０の長さが約２１０〜３００mmであり、流入する血液の流量が２００〜３５０ml/minである場合には、開口領域の全面積に対する閉塞部分の面積を３０％程度に設定すると血液の凝固を効果的に抑制することができる。また、閉塞手段７０Ａの厚さは、中空糸膜束の長さやハウジング１０の長さを勘案して適宜設定することができる。
【００４４】
以上説明した実施形態に係るフィルタモジュール１Ａにおいては、中空糸膜束を構成する各中空糸膜の両端が開口されることにより形成された開口領域の周辺部分を、血液入口２０Ａ側及び血液出口３０Ａ側の双方において閉塞手段７０Ａで閉塞することができるので、一部の中空糸膜に血液を通過させないようにして中空糸膜束の有効膜面積を減少させることができる。このように閉塞手段７０Ａを用いて開口領域の閉塞態様を変更することによりフィルタの有効膜面積を調整することができ、一つのハウジング１０で複数の有効膜面積を得ることができる。この結果、フィルタの有効膜面積変更のために従来必要であった生産ラインの調整等が不要となることから、生産効率を格段に向上させることができ、かつ、生産コストを格段に低減させることができる。また、生産本数の少ない小膜面積（例えば０．３ｍ2、０．７ｍ2）のフィルタモジュールについても、本方式を採用することにより安定した数量で生産することができるため、生産コスト低減に有効である。
【００４５】
また、以上説明した実施形態に係るフィルタモジュール１Ａにおいては、閉塞手段７０Ａとして、開口領域の中央部分に充填されて固化される閉塞用樹脂材を採用し、ハウジング１０に中空糸膜束を固定するための接着用樹脂材に閉塞用樹脂材を結合させることができるため、開口領域の中央部分を確実に閉塞することができる。また、本実施形態においては、閉塞手段７０Ａを構成する樹脂材として、接着用樹脂材と同一の樹脂材（例えばウレタン系樹脂材）を採用しているため、両樹脂材を一体的に結合させることができる。
【００４６】
また、以上説明した実施形態に係るフィルタモジュール１Ａにおいては、開口領域の中央部分を閉塞手段７０Ａで閉塞することにより、（血液の流れの良い）開口領域の周辺部分に血液を集中させることができる。この結果、ヘッダ６１、６２の内部空間における血液の滞留を防ぐことができ、血液の凝固を抑制することができる。
【００４７】
なお、第一実施形態においては、閉塞手段７０として交換可能な閉塞部材を採用し、第二実施形態においては、閉塞手段７０Ａとして閉塞用樹脂材を採用した例を示したが、閉塞手段の構成はこれらに限られるものではない。例えば、ハウジング１０の両端に取り付けられるヘッダ６１、６２の一部分を閉塞手段として採用することもできる。このように、ハウジング１０の両端に取り付けられるヘッダ６１、６２の一部分を閉塞手段として利用すると、閉塞部材や閉塞用樹脂材を別途調整する必要がなく、部品点数を削減することができる。
【００４８】
また、以上の各実施形態においては、円筒状（断面円形状）のハウジング１０を採用したが、ハウジングの形状はこれに限られるものではない。例えば、断面多角形（三角形、四角形、六角形等）状の角筒状のハウジングを採用することもできる。また、以上の各実施形態においては、血液入口２０（２０Ａ）側及び血液出口３０（３０Ａ）側の双方における開口領域の一部を閉塞手段７０（７０Ａ）で閉塞した例を示したが、血液入口２０（２０Ａ）側及び血液出口３０（３０Ａ）側の何れか一方における開口領域の一部を閉塞手段７０（７０Ａ）で閉鎖してもよい。
【００４９】
また、以上の各実施形態においては、閉塞手段７０（７０Ａ）の平面形状を点対称形状（円環形状、円形状）とした例を示したが、他の点対称形状を採用してもよい。このように閉塞手段の平面形状を点対称形状とすると、ハウジング１０に閉塞手段を取り付ける際に閉塞手段の取付方向を考慮する手間を省くことができるため、取付作業を簡略化することができる。
【００５０】
また、以上の各実施形態においては、本発明を血液浄化処理用のモジュールに適用した例（被処理液が「血液」の例）を示したが、被処理液は他の液体であってもよい。例えば、海水の淡水化処理用モジュールや血液製剤のウィルス除去処理用モジュール等に本発明を適用することもできる。
【００５１】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【００５２】
１・１Ａ…フィルタモジュール
１０…ハウジング
２０…血液入口（被処理液入口）
３０…血液出口（被処理液出口）
６１・６２…ヘッダ
７０…閉塞部材（閉塞手段）
７０Ａ…閉塞用樹脂材（閉塞手段）
【図１】
2017074563.tif 000003
【図２】
2017074563.tif 000004
【図３】
2017074563.tif 000005
【図４】
2017074563.tif 000006